(57)【要約】  【課題】送液路を有する規格の異なる医療器具へのルアーロック接続がそれぞれ問題なく実施可能な医療用管継手を提供する。  【解決手段】混注ポート１０００の液送路に弁体１０１１が配設され、三方活栓３０００の液送路に開口部３０１１ｂが配されている規格の異なる２種のいずれにも連結され得る医療用管継手であって、弁体１０１１及び開口部３０１１ｂのいずれにも嵌入されるルアー部２２４を先端に有する管体２２０と、管体２２０を混注ポート１０００及び三方活栓３０００に連結固定する際に用いるものであって、混注ポート１０００に形成された突起１１２６と係合する溝部２３９と、三方活栓３０００に形成されたおねじ部３０１１ａと係合するめねじ部２３８とを有する連結補助具とが、管体２２０の管軸方向において、前記連結補助具と前記管筒体との相対的位置が異なる第１状態と第２状態との２状態で選択的に移行可能に係合されている。  【選択図】図１
2008029607.tif 000002
【特許請求の範囲】
【請求項１】
液送路を備えて互いに異なる規格に依拠して形成された第１の管構造体と第２の管構造体とにおいて、前記第１の管構造体の液送路には管連結機構としての弁体が配設され、第２の管構造体の液送路には連結孔が配されている２種のいずれにも連結され得る医療用管継手であって、
前記弁体及び前記連結孔のいずれにも嵌入されるルアー部を先端に有する管筒体と、
前記管筒体を前記第１の管構造体及び前記第２の管構造体に連結固定する際に用いるものであって、前記第１の管構造体に形成された第１被係止部と係合する第１係止部と、前記第２の管構造体に形成された第２被係止部と係合する第２係止部とを有する連結補助具とが、
前記管筒体の管軸方向において、前記連結補助具と前記管筒体との相対的位置が異なる第１状態と第２状態との２状態で選択的に移行可能に係合されていることを特徴とする医療用管継手。
【請求項２】
前記連結補助具は筒状であって、内周にめねじが螺刻されており、
前記管体の外周に前記めねじと螺合するおねじが螺刻されていることを特徴とする請求項１に記載の医療用管継手。
【請求項３】
前記連結補助具は筒状であって、
前記第１係止部は、前記連結補助具の周方向に設けられた一対の溝部であり、
前記第１被係止部は、一対の凸部であって、
前記第１の管構造体の弁体に前記ルアー部を嵌入させた後に、前記連結補助具を前記周方向の第１の側に捩じることにより前記凸部が前記溝部にそれぞれ突入して係合し、前記連結補助具を前記周方向の前記第１の側と相反する第２の側に捩じることにより前記凸部が前記溝部からそれぞれ脱出して、前記係合が解除され、
前記めねじと前記おねじは、前記管筒体に対して前記連結補助具を前記周方向の第２の側に回転させたときに、前記管筒体に対して前記連結補助具が前記嵌入方向へと移動するように螺刻されていることを特徴とする請求項１に記載の医療用管継手。
【請求項４】
前記めねじは、前記おねじから離脱可能であることを特徴とする請求項２に記載の医療用管継手。
【請求項５】
請求項１から４に記載の医療用管継手が連結されている輸液または血液の搬送に供されるライン。
【発明の詳細な説明】
【技術分野】
【０００１】
本発明は、医療用管継手に関し、特に、個別に設計されている異種の器具に対して接続する場合に液密シールと係合固定を確実に実施する技術に関する。
【背景技術】
【０００２】
輸液または血液ラインにおいて、患者に輸液や輸血を行う主送液路に薬液を混注したり、または、主送液路に流れる液をサンプル採取したりするため、主送液路に側注路を設けることがあり、このような側注路を形成する器具として、図５に示すような、混注ポート１０００や三方活栓３０００などがある。
混注ポート１０００は、その中央の管壁に設けられた平坦な弁座部１１０２に貫通孔（不図示）が形成されてなる管状のポート本体１０１０と、弾性材料からなり上記貫通孔（不図示）を遮蔽するように弁座部１０２上に配されたディスク状の弁体１０１１と、この弁体１０１１をポート本体１０１０に装着し固定する筒状で中央に透孔１０１２が配されたカバー体１１２０から構成されている。
【０００３】
弁体１０１１の中央には、外部からルアー部などの細管を挿入できるようにスリット部１１１１が形成されている。
また、カバー体１１２０には、前記弁体１０１１に挿入した細管の接続状態を固定するために、前記筒状の筐体の側壁から径方向外方に突出する１対の突起１１２６が設けられている。
【０００４】
また、三方活栓３０００は、円筒状の本体部３００１と、この本体部３００１の周面から放射状に三方へと延出されている第１分岐管３０１１、第２分岐管３０１２及びロックナットが付設された第３分岐管３０１３と、本体部３００１に回転自在に挿設された円柱状でその内部において三方に分岐する貫通孔が配された通路切換部３００２とから構成される。
【０００５】
第１分岐管３０１１及び第２分岐管３０１２は、ＩＳＯ規格（ＩＳＯ−５９４）に準じて設計がなされており、端部から遠ざかるにつれその内径が漸減するいわゆるメスルアー部となっており、さらに、上記端部の外周には、おねじ部３０１１a及びおねじ部３０１２ａが刻設されている。
このメスルアー部のテーパー形状と、おねじ部３０１１a及びおねじ部３０１２ａの位置関係は、上記ＩＳＯ規格において、厳格に決められている。
【０００６】
上述した混注ポート１０００や三方活栓３０００は、送液路を分岐させるために用いられるものであるが、輸液または血液を搬送する１つの搬送路のみを有する単なる管の端部に、第１分岐管３０１１と同一構造を適用したものもある。
このような管を、便宜的にメスルアー部付設管ということとする。
混注ポート１０００と、三方活栓３０００及びメスルアー部付設管とでは、管を連結するための連結機構がそれぞれ個別に設計されているため、即ち、規格が異なるため、１種類の管継手で、混注ポート１０００と、三方活栓３０００またはメスルアー部付設管の両方に接続を試みる場合、この管継手のルアー部だけを接続するいわゆるルアースリップ接続はできても、この接続を解除しないように係合機構を用いて互いを係合して固定（以下、「ロック」という。）するいわゆるルアーロック接続することは、一般的には難しい。
【０００７】
このような個別に設計されている異種の医療器具のいずれにもルアースリップ接続及びルアーロック接続が実現可能な管継手として、図５に示すような管継手２０００がある。（例えば、非特許文献１）
この管継手２０００は、個別に設計されている異種の医療器具に３通りの方法で接続することができる汎用性の高い管継手であって、接続補助体２２３０に管体２２２０が挿設されてなる。
【０００８】
管体２２２０は、硬質で円筒状の主管部２２２１の第１端部にルアー部２２２４が配され、前記第１端部の周面に環状リブ２２２３が配設され、主管部２２２１の外表面において管軸に沿って伸びる一対のストライプリブ２２２５が配設され、さらに、主管部２２２１のもう一方の第２端部に軟質な連絡管２２２６が接続されてなる。
接続補助体２２３０は、筒状の本体部２２２３の片側の端部に、カバー体１１２０に被せられてこれに係合するキャップカバー部２２３０が配されてなる。
【０００９】
本体部２２２３の内方には、内径が前記主管部２２２１の外径よりも僅かに大きい径小部２２３６と、最小内径が径小部２２３６の内径よりも大きいめねじ部２２３８とが配設されている。
このキャップカバー部２２３０には、その内周にカバー体１１２０の一対の突起１１２６と係合する一対の溝部２２３９が配されている。
【００１０】
接続方法（I）に示すように、管継手２０００を混注ポート１０００に接続する場合には、管継手２０００のルアー部２２２４を弁体１０１１のスリット部１１１１に挿入すると共に、接続補助体２２３０をカバー体１１２０に密着させＡ１方向に捩ることにより、混注ポート１０００の突起１１２６が管継手２０００の溝部２２３９に突入し、混注ポート１０００と管継手２０００との位置が固定され接続される。
【００１１】
逆に、接続補助体２２３０をＡ２方向に捩ることにより接続が解除される。
同様に、接続方法（II）に示すように、管継手２０００を三方活栓３０００に接続する場合には、管継手２０００のルアー部２２２４を、例えば、第１分岐管３０１１の開口部３０１１ｂに挿入すると共に、接続補助体２２３０をカバー体１１２０に密着させＡ１方向に捩ることにより、三方活栓３０００のおねじ部３０１１aが管継手２０００のめねじ部２２３８に螺合し、三方活栓３０００と管継手２０００との位置がロックされ、いわゆるルアーロック接続される。
【００１２】
また、接続補助体２２３０をＡ２方向に捩ることにより、上記ルアーロック接続が解除される。
このように、それぞれ個別に設計された混注ポート及び三方活栓であっても、1種類の管継手でこれらのどちらにも接続でき、かつ、ロックすることができる。
さらに、接続方法（III）に示すように、管継手２０００の接続補助体２２３０を主管部２２２１から連絡管２２２６上に移動させて、接続補助体２２３０を用いずに、管体２２２０を三方活栓３０００に接続する、いわゆるルアースリップ接続も行うことができる。
【非特許文献１】カタログ  ２００２．０７．２０ＸＡ０８３（株式会社ジェイ・エム・エス）
【発明の開示】
【発明が解決しようとする課題】
【００１３】
しかしながら、図５に示すように、管継手２０００を混注ポート１０００に接続し、接続補助体２２３０をＡ１方向に捩ってロックした場合、極稀にルアー部２２２４とスリット部１１１１の接触部分から液漏れが生じる場合（以下、「シール不良」という。）があることがわかった。
このシール不良は、図６に示すように、ルアー部２２２４が弁体１０１１のスリット部１１１１に差し込まれたとき、挿入量が浅いために、ルアー部２２２４の外径の小さな部分でスリット部１１１１を押し広げているため、スリット部１１１１の排斥量が少なくなり、上記接触部分の押圧力が不足することによって起こる。
【００１４】
一方、図５に示すように、管継手２０００を三方活栓３０００に接続し、接続補助体２２３０をＡ１方向に捩ってロックした場合、この係合が完全ではなかったためにロックが解除される場合（以下、「ロック不良」という。）があることが判った。
このロック不良は、図７のＢ部に示すように、管継手２０００のめねじ部２２３８に対する三方活栓３０００のおねじ部３０１１aのかかりが浅いために起きる。
【００１５】
上記ロック不良については、管継手２０００のルアー部２２２４の外径を全体的に減少させることで、第１分岐管３０１１の開口部３０１１ｂへのより深い挿入が可能となるため、めねじ部２２３８に対するおねじ部３０１１aのかかりを深くすることができ、ロック不良を改善することができるが、シール不良に対しては、上述の排斥量が減少してしまい、シール不良をより悪化させてしまうため、ロック不良の改善とシール不良の改善とを両立実施することができない。
【００１６】
本発明は、このような問題を解決しようとなされたものであって、個別に設計されている異種の医療器具へのルアーロック接続がそれぞれ問題なく実施可能な医療用管継手及びこれを用いた輸液または血液の搬送に供されるラインを提供することを目的とする。
【課題を解決するための手段】
【００１７】
上記目的を達成するために、本発明に係る医療用管継手は、液送路を備えて互いに異なる規格に依拠して形成された第１の管構造体と第２の管構造体とにおいて、前記第１の管構造体の液送路には管連結機構としての弁体が配設され、第２の管構造体の液送路には連結孔が配されている２種のいずれにも連結され得る医療用管継手であって、前記弁体及び前記連結孔のいずれにも嵌入されるルアー部を先端に有する管筒体と、前記管筒体を前記第１の管構造体及び前記第２の管構造体に連結固定する際に用いるものであって、前記第１の管構造体に形成された第１被係止部と係合する第１係止部と、前記第２の管構造体に形成された第２被係止部と係合する第２係止部とを有する連結補助具とが、前記管筒体の管軸方向において、前記連結補助具と前記管筒体との相対的位置が異なる第１状態と第２状態との２状態で選択的に移行可能に係合されていることを特徴とする。
【００１８】
上記目的を達成するために、本発明に係る輸液または血液の搬送に供されるラインは、上記医療用管継手が連結されていることを特徴とする。
【発明の効果】
【００１９】
仮に、前記管筒体を連結補助具に対して前記ルアー部の外径が漸減する漸減方向に移動させた位置を第１状態とし、前記管筒体を連結補助具に対して前記ルアー部の外径が漸増する漸増方向に移動させた位置を第２状態とするとき、本発明の医療用管継手によれば、管筒体と連結補助具の管軸方向における相対的位置が、第１状態と第２状態に移行可能、即ち、第１係止部及び第２係止部とルアー部との相対的位置が変更可能であるため、第１の管構造体及び第２の管構造体に対する係合の自由度が向上する。
【００２０】
つまり、第１係止部と第２係止部とを、それぞれ第１被係止部及び第２被係止部との係合に適した位置まで移動することができ、かつ、管筒体と連結補助具とが互いに係合されているので、より確実に係合することができる。
これにより、個別に設計されている異種の器具へのルアーロック接続がそれぞれ問題なく実施することができる。
【００２１】
また、前記連結補助具は筒状であって、内周にめねじが螺刻されており、前記管体の外周に前記めねじと螺合するおねじが螺刻されていることが望ましい。
これにより、管筒体と連結補助具とを相対的に回転させることによって、簡単に管筒体と連結補助具との相対的位置を変更することができる。
また、  前記連結補助具は筒状であって、前記第１係止部は、前記連結補助具の周方向に設けられた一対の溝部であり、前記第１被係止部は、一対の凸部であって、前記第１の管構造体の弁体に前記ルアー部を嵌入させた後に、前記連結補助具を前記周方向の第１の側に捩じることにより前記凸部が前記溝部にそれぞれ突入して係合し、前記連結補助具を前記周方向の前記第１の側と相反する第２の側に捩じることにより前記凸部が前記溝部からそれぞれ脱出して、前記係合が解除され、前記めねじと前記おねじは、前記管筒体に対して前記連結補助具を前記周方向の第２の側に回転させたときに、前記管筒体に対して前記連結補助具が前記嵌入方向へと移動するように螺刻されていることが望ましい。
【００２２】
これにより、第１係止部と第１被係止部との係合に際して、前記管筒体が前記連結補助具に対して、前記嵌入方向と相反する方向に移動することが回避される。
つまり、弁体内に差し込まれるルアー部の長さが、第１係止部と第１被係止部との係合に伴って短くならない。
また、前記めねじは、前記おねじから離脱可能であることが望ましい。
【００２３】
これにより、連結補助具なしの医療用管継手としても使用、即ち、ルアースリップ接続が可能となり、より汎用性が高められ、使い勝手がよくなる。
例えば、医療用管継手の接続相手としては、第１係止部及び第２係止部のいずれにも係合するものがないメスルアー部（その内径が開口部から遠ざかるにつれ漸減する前記ルアー部の受け入れ部）も想定され、このような場合、前記連結補助具が全く意味をなさないだけでなく、メスルアー部の開口部の内径が大きめに作製されているメスルアー部においては、メスルアー部に対するルアー部の挿入深さが通常よりも深くなるため、メスルアー部と連結補助具とが干渉して接続できなくなることもある。
【００２４】
このような場合、前記めねじを前記おねじから離脱可能させて、前記連結補助具を前記ルアー部から遠ざけることで、メスルアー部と連結補助具との干渉を回避することができ、接続対象の範囲を拡大することができる。
【発明を実施するための最良の形態】
【００２５】
本発明の実施の形態について、図面を参照しながら詳細に説明する。
図１は、本発明の実施の形態における医療用の管継手２０の構成を説明する概要図である。
この医療用管継手２０は、輸液や輸血を搬送する搬送路を構成する管の継ぎ手であって、主送液路に側注路を設ける混注ポート１０００、三方活栓３０００およびメスルアー部付設管などのいずれにも接続でき、互いの係合を固定可能、即ち、ロック可能な管継手２０である。
【００２６】
ここで、混注ポート１０００、三方活栓３０００及びメスルアー部付設管の構成について説明する。
先にも述べたように、混注ポート１０００は、その中央の管壁に設けられた平坦な弁座部１１０２に貫通孔（不図示）が形成されてなる管状のポート本体１０１０と、弾性材料からなり上記貫通孔（不図示）を遮蔽するように弁座部１０２上に配されたディスク状の弁体１０１１と、この弁体１０１１をポート本体１０１０に装着し固定する筒状で中央に透孔１０１２が配されたカバー体１１２０から構成されている。
【００２７】
上記弁体１０１１の中央には、外部から細管を挿入できるようにスリット部１１１１が形成されており、また、カバー体１１２０には、前記弁体１０１１に挿入した細管の接続状態を固定するために、前記筒状の筐体の側壁から径方向外方に突出する１対の突起１１２６が設けられている。
また、三方活栓３０００は、先に述べたように、円筒状の本体部３００１と、この本体部３００１の周面から三方へとそれぞれ延出された第１分岐管３０１１、第２分岐管３０１２及びロックナットが付設された第３分岐管３０１３と、本体部３００１に回転自在に挿設された円柱状で内部に三方に貫通孔が配された通路切換部３００２とから構成される。
【００２８】
第１分岐管３０１１及び第２分岐管３０１２は、ＩＳＯ−５９４（規格）に準じて設計がなされており、端部から遠ざかるにつれその内径が漸減するいわゆるメスルアー部となっており、さらに上記端部の外周には、おねじ部３０１１a及びおねじ部３０１２ａが刻設されている。
また、上述したように、メスルアー部付設管は、第１分岐管３０１１と同一構造を端部に採用した単管である。
（医療用管継手２０の構成）
この医療用管継手２０は、図１に示すように、個別に設計されている異種の器具に３通りの方法で接続することができる汎用性の高い管継手であって、筒状の接続補助体２３に管体２２０が挿設されてなる。
【００２９】
管体２２０は、硬質で円筒状の主管部２２１の第１端部にルアー部２２４が配され、前記第１端部の周面におねじ部２２３が配設され、さらに、主管部２２１の第１端部と相反する側の第２端部に軟質な連絡管２２６が接続され、上記おねじ部２２３は、左ねじとなっている。
接続補助体２３は、筒状の本体部２３５の第１端部に、カバー体１１２０に被せられてこれに係合するキャップカバー部２３０が配されてなる。
【００３０】
このキャップカバー部２３０には、その内周にカバー体１１２０の一対の突起１１２６と係合する一対の溝部２３９が配されている。
本体部２３５は、その内径が前記主管部２２１の外径よりも僅かに大きい径小部２３６と、おねじ部２２３と螺合可能なめねじ部２３７と、最小内径が径小部２３６の内径よりも大きいめねじ部２３８とが、その第２端部から第１端部にかけてこの順で配設されている。
【００３１】
図１の接続方法（I）に示すように、管継手２０を混注ポート１０００に接続する場合には、管継手２０の接続補助体２３をＣ１方向（右回り）に回転させて、おねじ部２２３がめねじ部２３７から離脱した状態であって、かつ、おねじ部２２３とめねじ部２３７とが当接している状態で、ルアー部２２４を弁体１０１１のスリット部１１１１に挿入すると共に、接続補助体２３をカバー体１１２０に密着させ、再度Ｃ１方向に捩ることにより、混注ポート１０００の突起１１２６が管継手２０の溝部２３９に突入し、混注ポート１０００と管継手２０との位置が固定され接続される。
【００３２】
上述のおねじ部２２３がめねじ部２３７から離脱した状態であって、かつ、おねじ部２２３とめねじ部２３７とが当接している状態において、ルアー部２２４は、接続補助体２３から大きく突出した状態となる。
このため、接続完了時において、図２に示すように、弁体１０１１のスリット部１１１１に液密シール性能を確保するのに十分な深さまでルアー部２２４を挿入することができる。
【００３３】
なお、おねじ部２２３及びめねじ部２３７のねじ溝の螺刻方向と、接続補助体２３の溝部２３９と混注ポート１０００の突起１１２６とを係合させるために、混注ポート１０００に対して接続補助体２３を捩じる方向（以下、「係合ねじり方向」という。）とは、以下の関係を有する。
即ち、図１に示すように、係合ねじり方向がＣ１方向であるとすると、おねじ部２２３及びめねじ部２３７とを螺合した状態で、管体２２０に対して接続補助体２３をＣ１方向に捩じった場合、管体２２０が接続補助体２３から突出するようにおねじ部２２３及びめねじ部２３７のねじ溝の螺刻方向が決定されている。
【００３４】
これは、溝部２３９と突起１１２６とを係合させる際に、接続補助体２３を捩じったとき、スリット部１１１１によって挟持される管体２２０が位置的に固定されている状態で、接続補助体２３がＣ１方向に捩じられたき、おねじ部２２３とめねじ部２３７との螺合角度が変化して、管体２２０が後退し、ルアー部２２４のスリット部１１１１への挿入深さが浅くなることを回避するためである。
【００３５】
同様に、接続方法（II）に示すように、管継手２０を、例えば、三方活栓３０００に接続する場合には、管継手２０の接続補助体２３をＣ２方向に回転させて、おねじ部２２３をめねじ部２３７の奥まで螺合させて行き、おねじ部２２３が本体部２３５の一部と当接して螺合がそれ以上進まない螺合固定状態で、管継手２０のルアー部２２４を、第１分岐管３０１１の開口部３０１１ｂに挿入すると共に、接続補助体２３を第１分岐管３０１１に密着させＣ１方向に捩ることにより、三方活栓３０００のおねじ部３０１１aが管継手２０のめねじ部２３８に螺合し、三方活栓３０００と管継手２０との位置がロックされる。
【００３６】
この螺合固定状態では、ルアー部２２４が接続補助体２３の内方へと移動、即ち、ルアー部２２４が埋没する方向に移動するので、接続補助体２３のめねじ部２３８を三方活栓３０００のおねじ部３０１１aに締め込む際に、接続補助体２３のめねじ部２３８と三方活栓３０００のおねじ部３０１１aとの距離が近づき、接続補助体２３を捩ることにより、めねじ部２３８とおねじ部３０１１aが螺合し、やがて係合度合いを深めて行き、最終的には、図３のＤ部に示すように深く螺合される。
【００３７】
さらに、接続方法（III）に示すように、管継手２０の接続補助体２３をＣ１方向に回転させて、おねじ部２２３とめねじ部２３７との螺合解除した後、主管部２２１から連絡管２２６上に移動させて、接続補助体２３を用いずに、管体２２０を三方活栓３０００に接続、即ち、スリップ接続することができる。
（まとめ）
本実施の形態の医療用管継手２０は、混注ポート１０００や三方活栓３０００などの個別に設計されている異種の器具にルアーロック接続する場合、接続補助体２３をＣ１またはＣ２方向に回転させることにより、接続補助体２３と管体２２０との相対的位置を接続対象とする器具に応じて調整可能であるため、相手器具に配されたルアー部２２４の受け入れ部とルアー部２２４とが密着しつつ、かつ、接続補助体２３に設けられた溝部２３９及びめねじ部２３８などの係止部を相手器具に配された被係止部と確実に係合することができる。
【００３８】
なお、本実施の形態の医療用管継手２０では、接続補助体２３と管体２２０との相対的位置を変更する機構として、おねじとめねじの螺合を用いたが、これに限るものではなく、以下のような構成であってもよい。
（変形例）
医療用管継手２０の変形例として、この医療用管継手２０を構成する接続補助体２３及び管体２２０に相当する接続補助体６２３及び管体５２０が、図４に示すような構成であってもよい。
【００３９】
即ち、接続補助体６２３は、接続補助体２３のめねじ部２３７が変更されたものであって、めねじ部２３７を螺刻する代わりに、筒軸に沿って一対の溝部６３７が径小部２３６に相当する径小径部５３６の内面に刻設されている。
この溝部６３７は、下端が径小径部５３６の内方側縁部にまで達しており、径小径部５３６の内方側縁部を図４における上方向から見て反時計まわりに進んだとき、溝部６３７と遭遇する直前の位置に突起部６３７ｃが配設されており、また、径小径部５３６の内方側縁部を図４における上方向から見て時計まわりに進んだとき、溝部６３７と遭遇する直前の位置に突起部６３７ｄが配設されている。
【００４０】
一方、管体５２０は、管体２２０のおねじ部２２３が変更されたものであって、おねじ部２２３を螺刻する代わりに、主管部２２１に相当する主管部５２１の表面に一対の凸部５２３が突設されている。
凸部５２３は、溝部６３７に丁度嵌まり込むようになっている。
以上のような構成を有する本変形例の医療用管継手は、混注ポート１０００と接続する場合、管体５２０が接続補助体６２３に挿嵌された状態で、凸部５２３が径小径部５３６の内方側縁部上に存するように管体５２０を移動させることで、上記接続のために接続補助体６２３は図４における上方向から見て時計方向に捩じられたとき、動きが抑制されている管体５２０の凸部５２３が径小径部５３６の内方側縁部を図４における上方向から見て反時計方向に進んで突起部６３７ｃに近づくので、突起部６３７ｃに当接する場合にはＦの位置に、そこまで至らない場合にはＦの位置の近傍に位置することになり、混注ポート１０００との接続においてルアー部２２４の接続補助体６２３から適切な突出量が維持される。
【００４１】
また、本変形例の医療用管継手を三方活栓３０００と接続する場合、管体５２０が接続補助体６２３に挿嵌された状態で凸部５２３を溝部６３７のＥの位置に存するように管体５２０を移動させることで、三方活栓３０００との接続においてルアー部２２４の接続補助体６２３から適切な突出量が維持される。
上述の突起部６３７ｃ及び突起部６３７ｄは、混注ポート１０００との接続の際に、凸部５２３が溝部６３７に突入することを防止するためのものであるが、突起部６３７ｄは無くてもよく、その場合が、混注ポート１０００との接続から三方活栓３０００との接続に切り替える場合には、接続補助体６２３を図４における上方向から見て時反計方向に捩じることにより、凸部５２３はが径小径部５３６の内方側縁部を図４における上方向から見て時計方向に進むので、溝部６３７に容易に突入させることができ、上記切り替えがスムーズとなる。
【産業上の利用可能性】
【００４２】
本願発明は、患者に輸液や輸血を行う主送液路を構成する医療用器具に適用が可能である。
【図面の簡単な説明】
【００４３】
【図１】本発明の実施の形態における管継手の構成及び使用例を説明する図である。
【図２】本発明の実施の形態の管継手を混注ポートに接続する場合における内部状況を示す断面図である。
【図３】本発明の実施の形態の管継手を三方活栓に接続する場合における内部状況を示す断面図である。
【図４】医療用管継手の変形例を示す図である。
【図５】従来の管継手の構成及び使用例を説明する図である。
【図６】従来の管継手を混注ポートに接続する場合における内部状況を示す断面図である。
【図７】従来の管継手を三方活栓に接続する場合における内部状況を示す断面図である。
【符号の説明】
【００４４】
２０    管継手
２３    接続補助体
１０２    弁座部
２２０    管体
２２１    主管部
２２３    めねじ部
２２４    ルアー部
２２６    連絡管
２３０    キャップカバー部
２３５    本体部
２３６    径小部
２３７    めねじ部
２３８    めねじ部
２３９    溝部
５２０      管体
５２１      主管部
５２３      凸部
５３６      径小部
６２３      接続補助体
６３７      溝部
６３７      突起部
７２３      接続補助体
７３７      溝部
７３７ａ    狭窄部
１０００    混注ポート
１０１０    ポート本体
１０１１    弁体
１１０２    弁座部
１１１１    スリット部
１１２０    カバー体
１１２６    突起
３０００    三方活栓
３００１    本体部
３００２    通路切換部
３０１１ｂ  開口部
３０１２ａ  おねじ部
３０１１    第１分岐管
３０１２    第２分岐管
３０１３    第３分岐管
【図１】
2008029607.tif 000003
【図２】
2008029607.tif 000004
【図３】
2008029607.tif 000005
【図４】
2008029607.tif 000006
【図５】
2008029607.tif 000007
【図６】
2008029607.tif 000008
【図７】
2008029607.tif 000009